(57)【特許請求の範囲】
【請求項１】
戸時限開放中に、かご内乗客検出装置が乗客を検知しなくなると戸閉めを開始するエレベータ戸時限開放装置において、
戸開放時限満了前に上記かご内乗客検出装置が乗客を検知しなくなったときに乗客不在を、かご内ブザーを連続的に鳴動させることで報知する第１の報知手段と、
戸開放時限満了時に戸開放時限を更に延長し、当初の時限と異なる所定の時限を有する戸開延長手段と、
上記戸開放時限満了時に戸閉め開始をする旨を、かご内ブザーの断続的な鳴動と、かご内戸閉釦ランプの点灯と、かご内戸時限開放釦ランプの点滅とを行うことで報知する第２の報知手段と、
戸閉釦操作により上記第１の報知手段、上記戸開延長手段、上記第２の報知手段を解除し、戸閉する戸閉手段と、
戸時限開放釦操作により上記第１の報知手段、上記戸開延長手段および上記第２の報知手段を解除し、当初開放時限状態に戻す初期復帰手段と
を備えたことを特徴とするエレベータ戸時限開放装置。
【請求項２】
上記各手段の動作を無効にする切換手段を備えたことを特徴とする請求項１記載のエレベータ戸時限開放装置。
【発明の詳細な説明】
【０００１】
【発明の属する技術分野】
この発明は、エレベータ戸時限開放装置に関するものである。
【０００２】
【従来の技術】
図２は、従来のエレベータ戸時限開放装置を示す構成図である。
図において、１はかご室、２はかご室１内の荷物、３は荷物２を扱う作業者、４はかご室１内のかご操作盤、５はかごの戸、６はかご内乗客検知装置、７は戸５を開放状態にするための戸開釦、８は戸５を開放状態から閉の状態に移行させるための戸閉釦、９は戸５の開放状態を所定時間例えば６０秒程維持させるための戸時限開放釦、１０は乗場階床分の乗場乗客検知装置、１１は機械室、１２は機械室１１に設置され各種信号を授受し各装置を制御する制御盤である。
【０００３】
次に、動作について、説明する。
かご室１内のかご操作盤４に装備された戸時限開放釦９を押したことによる戸開時限延長中に、かご内乗客検知装置６および乗場乗客検知装置１０によりかご内または乗場から荷物２または作業者３が検出されなくなると、制御盤１２は、戸開時限満了前であっても戸５を閉める。
【０００４】
【発明が解決しようとする課題】
ところで、上述のような従来のエレベータ戸時限開放装置は、戸開放時限の継続を作業者の検出にて判断しているため、各階における荷物の搬出入作業を連続して行うとき、一時的に乗場に出た作業者も検出する必要があるため、かご内だけでなく乗場階床分の乗客検出装置の設置が必要であるという問題点があった。
【０００５】
この発明は、上記のような問題点を解決するためになされたもので、エレベータの運転効率の向上を図ることができると共に、乗場階床分の乗客検出装置の設置を不要とすることができる構成簡便にして安価なエレベータ戸時限開放装置を得ることを目的とする。
【０００６】
【課題を解決するための手段】
請求項１の発明に係るエレベータ戸時限開放装置は、戸時限開放中に、かご内乗客検出装置が乗客を検知しなくなると戸閉めを開始するエレベータ戸時限開放装置において、戸開放時限満了前に上記かご内乗客検出装置が乗客を検知しなくなったときに乗客不在を、かご内ブザーを連続的に鳴動させることで報知する第１の報知手段と、戸開放時限満了時に戸開放時限を更に延長し、当初の時限と異なる所定の時限を有する戸開延長手段と、上記戸開放時限満了時に戸閉め開始をする旨を、かご内ブザーの断続的な鳴動と、かご内戸閉釦ランプの点灯と、かご内戸時限開放釦ランプの点滅とを行うことで報知する第２の報知手段と、戸閉釦操作により上記第１の報知手段、上記戸開延長手段、上記第２の報知手段を解除し、戸閉する戸閉手段と、戸時限開放釦操作により上記第１の報知手段、上記戸開延長手段および上記第２の報知手段を解除し、当初開放時限状態に戻す初期復帰手段とを備えたものである。
【００１０】
請求項２の発明に係るエレベータ戸時限開放装置は、請求項１の発明において、上記各手段の動作を無効にする切換手段を備えたものである。
【００１１】
【発明の実施の形態】
以下、この発明の実施の形態を、図を参照して説明する。
実施の形態１．
図１は、この発明の実施の形態１を示す構成図である。なお、図１において、図２と対応する部分には同一符号を付し、その詳細説明を省略する。
図において、１Ａはかご室、４Ａはかご室１Ａ内のかご操作盤、１１Ａは機械室、１２Ａは機械室１１Ａに設置され各種信号を授受し各装置を制御する制御盤、２１はかご操作盤４Ａ上に設けられたブザー（かご内ブザー）、２２はかご操作盤４Ａ上に設けられ、戸時限開放装置の動作を切り換える切換手段としての切換スイッチ、２３はかご操作盤４Ａ上に設けられた戸時限開放釦ランプ（かご内戸時限開放釦ランプ）、２４はかご操作盤４Ａ上に設けられた戸閉釦ランプ（かご内戸閉釦ランプ）である。なお、これらのランプは、戸開釦７、戸閉釦８内部に設けられたランプを使用してもよい。
【００１２】
次に、動作について説明する。
戸時限開放釦９が押され後、戸開放時限内にかご内乗客検知装置６が荷物２または作業者３を検出しなくなると、制御盤１２Ａはブザー２１を連続音で鳴動させ（第１の報知手段）、そして、戸開放時限内に戸閉釦８が押されると、ブザー２１の鳴動を中止し、戸５を閉める。
【００１３】
上記２番目の操作が無いと、つまり、戸開放時限内に戸閉釦８が押されないと、戸開放時限満了時に、制御盤１２Ａは戸閉釦ランプ２４を点灯、戸時限開放釦ランプ２３を点滅させ、ブザー２１の鳴動音を断続的な鳴動にし（第２の報知手段）、新たな所定の時限（例えば１０秒）による戸開放動作を継続させる（戸開延長手段）。
【００１４】
上記新たな所定の時限の間に戸時限開放釦９が押されると、戸閉釦ランプ２４、戸時限開放釦ランプ２３は消灯し、ブザー２１は鳴動停止し、戸時限開放釦９が押された当初の状態に戻る（初期復帰手段）。
戸時限開放釦９が押されずに、戸閉釦８が押されるかまたは上記新たな時限が経過すると、戸５は閉まり、戸閉釦ランプ２４、戸時限開放釦ランプ２３は消灯し、ブザー２１は鳴動停止する（戸閉手段）。
【００１５】
従って、作業者３が一時的にかご室１Ａの外で作業を行っていても、ブザー２１の鳴動音の違いにより慌てずに戸閉めまでに、かご室１Ａに戻ることができ、かつ、かご室１Ａに戻った作業者３は、戸閉釦ランプ２４の点灯を見ることにより戸閉めが迫っていることを認識しながら、更なる戸開延長を行う場合、点滅している状態の戸時限開放釦９を間違えることなく押すことができる。これにより、乗場階床分の乗客検出装置を各階乗場に設置せずとも、作業者は各階における荷物の搬出入作業を連続して行うことができる。
【００１６】
また、上記各階における荷物搬出入の連続作業をしない場合は、切換スイッチ２２をＯＦＦにすることにより、当該戸時限開放装置による動作を解除することができる。
【００１７】
このように、本実施の形態では、戸閉め開始の報知をすると共に更に戸開放時限を延長することにより、乗場にいる利用者をかご内に呼寄せることができるので、エレベータの運転効率の向上を図ることができ、また、乗場階床分の乗客検出装置を各階乗場に設置する必要がなくなるので、それだけ構成が簡略化され、コスト的にも安価なものとなる。
【００１８】
【発明の効果】
以上説明したように、請求項１の発明によれば、戸時限開放中に、かご内乗客検出装置が乗客を検知しなくなると戸閉めを開始するエレベータ戸時限開放装置において、戸開放時限満了前に上記かご内乗客検出装置が乗客を検知しなくなったときに乗客不在を、かご内ブザーを連続的に鳴動させることで報知する第１の報知手段と、戸開放時限満了時に戸開放時限を更に延長し、当初の時限と異なる所定の時限を有する戸開延長手段と、上記戸開放時限満了時に戸閉め開始をする旨を、かご内ブザーの断続的な鳴動と、かご内戸閉釦ランプの点灯と、かご内戸時限開放釦ランプの点滅とを行うことで報知する第２の報知手段と、戸閉釦操作により上記第１の報知手段、上記戸開延長手段、上記第２の報知手段を解除し、戸閉する戸閉手段と、戸時限開放釦操作により上記第１の報知手段、上記戸開延長手段および上記第２の報知手段を解除し、当初開放時限状態に戻す初期復帰手段とを備えたので、エレベータの運転効率を向上でき、特に荷物の搬出入作業等に有用であり、乗場階床分の乗客検出装置を不要にできるため、構成の簡略化、コストの低廉化が図れ、また、戸開放時限内に荷物や作業者が検出されなくなったことを確実に報知でき、しかも、戸閉釦ランプの点灯を見ることにより戸閉めが迫っていることを認識しながら、更なる戸開延長を行う場合、点滅している状態の戸時限開放釦を間違えることなく押すことができ、更に、戸開延長手段は、当初の時限と異なる所定の時限を有するので、必要に応じて戸開放動作を継続させるという効果がある。
【００２２】
さらに、請求項２の発明によれば、上記各手段の動作を無効にする切換手段を備えたので、所要時に当該戸時限開放装置による動作を確実に解除することができるという効果がある。
【図面の簡単な説明】
【図１】  この発明の実施の形態１を示す構成図である。
【図２】  従来のエレベータ戸時限開放装置を示す構成図である。
【符号の説明】
１Ａ  かご室、４Ａ  かご操作盤、５  戸、６  かご内乗客検知装置、７  戸開釦、８  戸閉釦、９  戸時限開放釦、１２Ａ  制御盤、２１  ブザー、２２  切換スイッチ、２３  戸時限開放釦ランプ、２４  戸閉釦ランプ。
【図１】
0003934318.tif 000002
【図２】
0003934318.tif 000003